(57)【要約】      （修正有）【課題】一つの充電器で複数種類の小型電子製品に簡便に充電できるようにする。【解決手段】長手方向に相互着脱可能に結合され、第１カバー２２が一方の端部にヒンジ結合され、充電用バッテリを収納するための第２カバー２４が一面に結合され、複数のソケット１７〜１９を収納するために一面が開放されている一対のケース２０と、各ソケットに電気的に接続されるようにケースの内部空間に収納される充電用バッテリと、充電用バッテリの出力電圧と出力電流とを調節するＰＷＭ充電制御回路部及び電圧調整器を有するＰＣＢと、電圧調整器に接続され、一部が外部に露出されるようにケースの一方の端部に結合される携帯電話充電用ソケット１６と、電圧調整器に接続され、ケースの開放された収納空間に収納可能なようにケースにヒンジ結合される複数のソケット１７〜１９とを含む多用途充電ソケットを備えた充電器が提供される。【選択図】図２ａ
0003134484.tif 000002
【実用新案登録請求の範囲】
【請求項１】
長手方向に相互着脱可能に結合され、第１カバーが一方の端部にヒンジ結合され、充電用バッテリを収納するための第２カバーが一面に結合され、複数のソケットを収納するために一面が開放されている一対のケースと、
前記ケース内に収容される電圧調整器を介して前記複数のソケットのそれぞれに電気的に接続されるように前記ケースの内部空間に収納される充電用バッテリと、
前記ケース内に装着され、前記充電用バッテリの出力電圧と出力電流とを調節するＰＷＭ充電制御回路部及び前記電圧調整器を有するＰＣＢと、
前記電圧調整器に電気的に接続され、一部が外部に露出されるように前記ケースの一方の端部に結合される携帯電話充電用ソケットと、
前記電圧調整器に電気的に接続され、前記ケースの開放された収納空間に収納可能なように前記ケースにヒンジ結合される前記複数のソケットと、
を含むことを特徴とする、多用途充電ソケットを備えた充電器。
【請求項２】
前記電圧調整器にＵＳＢポートが接続され、前記ＵＳＢポートを介して外部から電源が入力された場合に、前記電圧調整器は、前記ＵＳＢポートを介して入力される電源が前記充電用バッテリに充電されるように駆動されることを特徴とする、請求項１に記載の多用途充電ソケットを備えた充電器。
【請求項３】
前記ケースは、側面にＵＳＢポートを備え、前記ＵＳＢポートは、データインタフェース回路部を介してフラッシュメモリカードに接続され、前記ＵＳＢポートを介して入力されるデータが前記フラッシュメモリカードに格納されるように構成されることを特徴とする、請求項１に記載の多用途充電ソケットを備えた充電器。
【請求項４】
前記データインタフェース回路部に連結されたフラッシュメモリカードソケットは、一部が外部に露出されるように前記一対のケースに結合され、前記フラッシュメモリカードと分離／結合できるように構成されることを特徴とする、請求項３に記載の多用途充電ソケットを備えた充電器。
【考案の詳細な説明】
【技術分野】
【０００１】
本考案は、多用途充電ソケットを備えた充電器に関し、特に、一つの充電器のみを用いて複数種類の小型電子製品に簡便に電源を充電することが可能な多用途充電ソケットを備えた充電器に関する。
【背景技術】
【０００２】
一般に、例えば携帯電話、携帯用ゲーム機、携帯情報端末、デジタルカメラなどの携帯が可能な小型電子製品は、購買の際に共に提供される充電器を用いて電源を充電する。
【０００３】
携帯電話、携帯用ゲーム機、デジタルカメラなどの小型電子製品の充電器は、通常、ＡＣ１１０Ｖ／２２０Ｖの商用電源を整流するアダプタまたはＤＣ１２Ｖの車両用バッテリ電源を用いて充電する。
【０００４】
このような従来の充電器は、携帯電話や携帯用ゲーム機、携帯情報端末、デジタルカメラなどの小型電子製品を据え置くことが可能な据置台に、上記の小型電子製品のバッテリ電極に接触する電極端子が備えられ、据置台から延長される充電用電源ケーブルによって小型電子製品に電源を供給して充電する。
【０００５】
上述したような小型電子製品の充電器と乾電池用充電器とは、それぞれ充電電圧が相違し、小型電子製品を収容する据置台と乾電池を収容する据置台とは規格が相違するため、小型電子製品毎に異なる充電器を備えなければならない。特に、最近、小型電子製品の使用が急増するにつれて、ユーザは、小型電子製品の充電器と乾電池用充電器とを各製品毎に別途に購入しなければならず、経済的な損失も非常に大きい上、管理が煩わしいという問題がある。
【考案の開示】
【考案が解決しようとする課題】
【０００６】
そこで、本考案は、上記問題を解決するために、本考案の目的とするところは、一つの充電器のみを用いて複数種類の小型電子製品に簡便に電源を充電することが可能な、新規かつ改良された多用途充電ソケットを備えた充電器を提供することにある。
【０００７】
また、本考案の他の目的は、ＵＳＢポートを介して充電用バッテリに外部電源を充電することができるとともに、フラッシュメモリに各種データを格納できるようにすることにある。
【課題を解決するための手段】
【０００８】
上記課題を解決するために、本考案に係る多用途充電ソケットを備えた充電器は、長手方向に相互着脱可能に結合され、第１カバーが一方の端部にヒンジ結合され、充電用バッテリを収納するための第２カバーが一面に結合され、複数のソケットを収納するために一面が開放されている一対のケースと、ケース内に収容される電圧調整器を介して上記複数のソケットのそれぞれに電気的に接続されるようにケースの内部空間に収納される充電用バッテリと、ケース内に装着され、充電用バッテリの出力電圧と出力電流とを調節するＰＷＭ充電制御回路部及び電圧調整器を有するＰＣＢと、ＰＣＢの電圧調整器に電気的に接続され、ケースの一方の端部にその一部が外部に露出されるように結合される携帯電話充電用ソケットと、ＰＣＢの電圧調整器に電気的に接続され、ケースの開放された空間に収納できるようにケースにヒンジ結合されている上記複数のソケットと、を含むことを特徴とする。
【０００９】
また、電圧調整器にはＵＳＢポートが接続され、ＵＳＢポートを介して外部から電源が入力されると、電圧調整器は、ＵＳＢポートを介して入力される電源が充電用バッテリに充電されるように駆動されることが好ましい。
【００１０】
また、ケースの側面にはＵＳＢポートが設けられ、そのＵＳＢポートは、データインタフェース回路部を介してフラッシュメモリカードに接続され、ＵＳＢポートを介して入力されるデータがフラッシュメモリカードに格納されるように構成されることが好ましい。
【００１１】
また、上記データインタフェース回路部に連結されたフラッシュメモリカードソケットは、その一部が外部に露出されるように上記一対のケースに結合され、フラッシュメモリカードと分離／結合できるように構成されることが好ましい。
【考案の効果】
【００１２】
上述したように、本考案は、充電用バッテリが内蔵された一つの充電器に、例えば携帯電話や携帯用ゲーム機、携帯情報端末、デジタルカメラなどの小型電子製品向けのソケットを備えることにより、ユーザは、一つの充電器のみを用いて、必要に応じて小型電子製品に簡便に電源を充電することができる。
【００１３】
また、本考案は、ＵＳＢポートを介して充電用バッテリに外部電源を充電することができるとともに、フラッシュメモリに各種データを格納することが可能である。
【考案を実施するための最良の形態】
【００１４】
以下に添付図面を参照しながら、本考案の好適な実施の形態について詳細に説明する。
【００１５】
図１は、本考案に係る多用途充電ソケットを備えた充電器の内部構成を示すブロック図である。図２ａ）〜図２ｃは、それぞれ本考案に係る多用途充電ソケットを備えた充電器の平面図、正面図および底面図である。
【００１６】
本考案に係る多用途充電ソケットを備えた充電器は、１１０Ｖ／２２０Ｖの商用交流電源ではなく、乾電池や充電用バッテリなどに充電されている電源を、例えば携帯電話や携帯用ゲーム機、携帯情報端末、デジタルカメラなどの小型電子製品の充電用電源として供給する機能、およびフラッシュメモリカードに各種データを格納する機能を有する。
【００１７】
図１を参照すると、充電用バッテリ１５からの電圧出力は、電圧調整器１２によって一定のレベルに調整され、携帯電話や携帯用ゲーム機、携帯情報端末、デジタルカメラなどの各種の小型電子製品との機構および電気的な分離／結合のためにそれぞれ設けられた充電用ソケット１６、１７、１８、１９に供給される。
【００１８】
ここで、電源を一定のレベルに調整する電圧調整器１２は、ＰＷＭ充電制御回路部１１の制御に基づいてＤＣ電圧出力を一定に調整する。
【００１９】
充電用バッテリ１５の電源は、充電用バッテリ１５を充電器から取り外して充電してもよく、ＵＳＢポート１０を介して入力される電源によって充電してもよい。このＵＳＢポート１０を介して充電用電源が入力される場合、電圧調整器１２は、ＵＳＢポート１０を介して入力される電源を充電用バッテリ１５のみに供給し得るように構成されることが好ましい。ここで、ＵＳＢポートを介して充電される充電用バッテリ１５は、その充電有無状態が表示されるようにしてもよい。
【００２０】
また、本考案に係る多用途充電ソケットを備えた充電器は、ＵＳＢポート１０にデータインタフェース回路部１３とフラッシュメモリカード１４とが連結されており、ＵＳＢポート１０を介してフラッシュメモリカード１４に各種データをダウンロードすることも可能である。この際、フラッシュメモリカード１４は、充電器に内蔵されてもよいが、より幅広く活用するのために、別途のフラッシュメモリカードソケット２５との分離／結合によってデータインタフェース回路部１３に接続されてもよい。
【００２１】
ここで、ＰＷＭ充電制御部１１、電圧調整器１２およびデータインタフェース回路部１３などは、ＰＣＢなどに結線された状態で一対のケース２０、２１内に内蔵され、１つまたは２つの充電用バッテリ１５（メインニッケル水素電池）が、一対のケース内に内蔵され、カバーにより収納可能である。
【００２２】
次に、このような充電器の機構的な構成について図２ａ〜図２ｃによって詳細に説明する。
【００２３】
まず、長手方向に相互着脱可能に結合される一対のケース２０、２１の前方には、カバー２２が開閉可能なようにヒンジ２３によって結合されており、このカバー２２が結合された一対のケース２０、２１の間には、携帯電話との分離／結合のための携帯電話充電用ソケット１６の一部が、外部に露出された状態で結合されている。携帯電話充電用ソケット１６は、ケース２０、２１内に収容されているＰＣＢの電圧調整器１２などに電気的に接続されている。
【００２４】
一対のケース２０、２１のいずれか一方には、その内部に乾電池または充電用バッテリ１５を収納または除去するためのカバー２４が結合されている。
【００２５】
ケース２０、２１の内部空間は、ＰＣＢを収容するための空間と、乾電池または充電用バッテリ１５を収容するための空間と、携帯電話や携帯用ゲーム機、携帯情報端末、デジタルカメラなどの小型電子製品との電気的接続のための多数のソケット１６、１７、１８、１９を収容するための空間とに区分されている。
【００２６】
ここで、多数のソケット１６、１７、１８、１９は、例えば携帯電話、携帯用ゲーム機、携帯情報端末、デジタルカメラなどの小型電子製品との機構および電気的な結合のためのものであって、別途のラインによってＰＣＢの電圧調整器１２などに電気的に接続されている。
【００２７】
乾電池および充電用バッテリ１５は、電圧調整器１２と電気的に接続されなければならないのは当然である。
【００２８】
多数のソケット１７、１８、１９は、例えば、携帯用ゲーム機、携帯情報端末、デジタルカメラなどの小型電子製品との電気的な接続によって充電を行うために、必要に応じて、図２ａに示すように回転自在に設置されてケース２０、２１の収納空間２８からその端部が外部に露出され得る構造を持つ。これは、各ソケット１７、１８、１９がケース２０、２１に対してヒンジ結合されることにより可能である。
【００２９】
すなわち、一つのソケット１７がケース２０、２１の内面にヒンジ結合される場合には、ケース２０、２１の内面に２つのヒンジ軸（図示せず）が一直線上に位置するように設けられており、ソケット１７の両面にはヒンジ軸との結合のためのヒンジ溝が設けられている。
【００３０】
また、２つのソケット１８、１９がケース２０、２１の内面にヒンジ結合される場合には、ケース２０、２１の内面に２つのヒンジ軸（図示せず）が一直線上に位置するように設けられており、ソケット１８、１９の一面にはヒンジ軸との結合のためのヒンジ溝がそれぞれ設けられており、隣接している、ソケット１８の一面にはヒンジ軸、ソケット１９の一面にはヒンジ軸との結合のためのヒンジ溝がそれぞれ設けられている。
【００３１】
勿論、２つのソケット１８、１９の円滑な回動のためには、全てのヒンジ軸とヒンジ溝が一直線上に位置していなければならない。
【００３２】
ケース２０、２１の、カバー２２が設置された端部と反対側の端部のコーナーには、充電器を首から下げたり電子製品に固定するための紐などを連結することが可能な連結具２６が設けられている。
【００３３】
また、各種ソケット１７、１８、１９が位置したケース２０、２１の一面にはＵＳＢポート１０とフラッシュメモリカードソケット２５とが備えられるこれは、外部機器またはフラッシュメモリカード１４との分離／結合のための素子である。
【００３４】
上述した実施例においては、例えば携帯電話、携帯用ゲーム機、携帯情報端末、デジタルカメラなどの小型電子製品への充電のためのソケットを例として説明したが、本考案は、これに限定されるものではなく、上述した例の小型電子製品に対して分離／結合されるソケットとは異なる構造を持つソケットを使用する小型電子製品などにも適用可能であるのは言うまでもない。
【図面の簡単な説明】
【００３５】
【図１】本考案に係る多用途充電ソケットを備えた充電器の内部構成を示すブロック図である。
【図２ａ】本考案に係る多用途充電ソケットを備えた充電器の平面図である。
【図２ｂ】本考案に係る多用途充電ソケットを備えた充電器の正面図である。
【図２ｃ】本考案に係る多用途充電ソケットを備えた充電器の底面図である。
【符号の説明】
【００３６】
１０    ＵＳＢポート
１１    ＰＷＭ充電制御回路部
１２    電圧調整器
１３    データインタフェース回路部
１４    フラッシュメモリカード
１５    充電用バッテリ
１６    携帯電話充電用ソケット
１７    携帯用ゲーム機充電用ソケット
１８    携帯情報端末充電用ソケット
１９    デジタルカメラ充電用ソケット
２０、２１    ケース
２２、２４    カバー
２３    ヒンジ
２５    フラッシュメモリカードソケット
２６    連結具
２８    収納空間
【図１】
0003134484.tif 000003
【図２ａ】
0003134484.tif 000004
【図２ｂ】
0003134484.tif 000005
【図２ｃ】
0003134484.tif 000006